【手続補正書】
【提出日】平成30年9月6日(2018.9.6)
【手続補正１】
【補正対象書類名】明細書
【補正対象項目名】発明の名称
【補正方法】変更
【補正の内容】
【発明の名称】印刷装置、印刷方法及びプログラム
【手続補正２】
【補正対象書類名】明細書
【補正対象項目名】０００１
【補正方法】変更
【補正の内容】
【０００１】
本発明は、印刷装置、印刷方法及びプログラムに関する。
【手続補正３】
【補正対象書類名】明細書
【補正対象項目名】０００６
【補正方法】変更
【補正の内容】
【０００６】
本発明は、以上のような課題を解決するためのものであり、簡易な操作により入力を受け付ける印刷装置、印刷方法及びプログラムを提供することを目的とする。
【手続補正４】
【補正対象書類名】明細書
【補正対象項目名】０００７
【補正方法】変更
【補正の内容】
【０００７】
上記目的を達成するために、本発明に係る印刷装置の一様態は、
印刷装置であって、
三次元空間において前記印刷装置が移動する少なくとも１つの動作を検出する動作検出部と、
前記動作検出部により検出可能な複数の動作と、複数の制御コマンドと、を対応付けて記憶する記憶部から、前記動作検出部により検出された前記複数の動作のうちの少なくとも１つの動作に基づいて、少なくとも１つの前記制御コマンドを取得する取得部と、
前記取得部により取得された少なくとも１つの前記制御コマンドに基づき被記録媒体に印刷する印刷部と、
を備えることを特徴とする。
【手続補正５】
【補正対象書類名】明細書
【補正対象項目名】０００８
【補正方法】変更
【補正の内容】
【０００８】
また、上記目的を達成するために、本発明に係る印刷方法の一様態は、
印刷装置が実行する印刷方法であって、
三次元空間において前記印刷装置が移動する少なくとも１つの動作を検出する動作検出ステップと、
前記動作検出ステップにより検出可能な複数の動作と、複数の制御コマンドと、を対応付けて記憶する記憶部から、前記動作検出ステップにより検出された前記複数の動作のうちの少なくとも１つの動作に基づいて、少なくとも１つの前記制御コマンドを取得する取得ステップと、
前記取得ステップにより取得された少なくとも１つの前記制御コマンドに基づき被記録媒体に印刷する印刷ステップと、
を含むことを特徴とする。
【手続補正６】
【補正対象書類名】明細書
【補正対象項目名】０００９
【補正方法】変更
【補正の内容】
【０００９】
また、上記目的を達成するために、本発明に係るプログラムの一様態は、
印刷装置が備えるコンピュータを、
三次元空間において前記印刷装置が移動する少なくとも１つの動作を検出する動作検出手段、
前記動作検出手段により検出可能な複数の動作と、複数の制御コマンドと、を対応付けて記憶する記憶部から、前記動作検出手段により検出された前記複数の動作のうちの少なくとも１つの動作に基づいて、少なくとも１つの前記制御コマンドを取得する取得手段、
前記取得手段により取得された少なくとも１つの前記制御コマンドに基づき被記録媒体に印刷する印刷手段、
として機能させることを特徴とする。
【手続補正７】
【補正対象書類名】明細書
【補正対象項目名】００１０
【補正方法】変更
【補正の内容】
【００１０】
本発明によれば、簡易な操作により入力を受け付ける印刷装置、印刷方法及びプログラムを提供することができる。
【手続補正８】
【補正対象書類名】特許請求の範囲
【補正対象項目名】全文
【補正方法】変更
【補正の内容】
【特許請求の範囲】
【請求項１】
印刷装置であって、
三次元空間において前記印刷装置が移動する少なくとも１つの動作を検出する動作検出部と、
前記動作検出部により検出可能な複数の動作と、複数の制御コマンドと、を対応付けて記憶する記憶部から、前記動作検出部により検出された前記複数の動作のうちの少なくとも１つの動作に基づいて、少なくとも１つの前記制御コマンドを取得する取得部と、
前記取得部により取得された少なくとも１つの前記制御コマンドに基づき被記録媒体に印刷する印刷部と、
を備えることを特徴とする印刷装置。
【請求項２】
表示部を更に備え、
前記取得部は、前記動作検出部により検出された前記複数の動作のうちの第１の動作に基づく第１制御コマンドを取得し、
前記表示部は、複数の印刷データが記憶されている前記記憶部から取得された前記複数の印刷データに基づいた複数の画像を、前記動作検出部により前記第１の動作が検出される度に、前記第１制御コマンドに基づき、順次表示させることを特徴とする請求項１に記載の印刷装置。
【請求項３】
前記取得部は、前記第１制御コマンドを取得した後、前記動作検出部により検出された前記複数の動作のうちの前記第１の動作とは異なる第２の動作に基づく第２制御コマンドを取得し、
前記取得部は、前記第２の動作が検出されたときに前記表示部に表示されている前記複数の画像のうちの少なくとも１つの画像を、前記第２制御コマンドに基づき、入力データとして取得することを特徴とする請求項２に記載の印刷装置。
【請求項４】
切断部を更に備え、
前記取得部は、前記動作検出部により検出された前記複数の動作のうちの第３の動作に基づく第３制御コマンドを取得し、
前記切断部は、前記動作検出部により前記第３の動作が検出されたときに、前記第３制御コマンドに基づき、前記被記録媒体を切断することを特徴とする請求項１から３の何れか一項に記載の印刷装置。
【請求項５】
印刷装置であって、
三次元空間において前記印刷装置が移動する複数の動作を検出する動作検出部と、
前記動作検出部により検出可能な前記複数の動作のうちの複数の動作の組合せと、複数の文字種と、をそれぞれ対応付けて記憶している記憶部から、前記動作検出部により検出された前記動作の組合せに対応付けられた文字種を入力データとして取得する取得部と、
前記取得部により取得された前記入力データに基づき被記録媒体に印刷する印刷部と、
を備えることを特徴とする印刷装置。
【請求項６】
表示部を更に備え、
前記表示部は、前記動作検出部により検出された前記動作又は前記動作の組合せに対応付けられた前記文字種を表示し、
前記取得部は、前記表示部に表示された前記文字種を前記入力データとして取得することを特徴とする請求項５に記載の印刷装置。
【請求項７】
前記記憶部には、前記複数の文字種の配列が記憶されており、
前記動作検出部が、前記複数の動作のうちの第１の動作を検出すると、前記表示部は、前記第１の動作に基づいて、所定の時間毎に前記文字種の配列を昇順に、少なくとも１つの文字を順次表示し、
前記動作検出部が、前記複数の動作のうちの第２の動作を検出すると、前記表示部は、前記第２の動作に基づいて、前記所定の時間毎に前記文字種の配列を降順に、少なくとも１つの文字を順次表示することを特徴とする請求項６に記載の印刷装置。
【請求項８】
１つの文字種は、複数の文字から構成されており、
前記複数の動作の組合せは、前記文字種を構成する第１の文字を選択する第３の動作と、前記第１の文字に対応する複数の文字の中から第２の文字を選択する前記第３の動作と異なる第４の動作と、の組合せであることを特徴とする請求項５から７の何れか一項に記載の印刷装置。
【請求項９】
前記第３の動作は、前記印刷装置が第１方向に移動する動作であり、前記第４の動作は、前記印刷装置が前記第１方向に移動した後、前記第１方向と異なる第２方向に移動する動作であることを特徴とする請求項８に記載の印刷装置。
【請求項１０】
印刷装置であって、
印刷データの入力を受け付ける入力部と、
三次元空間において前記印刷装置が移動する複数の動作を検出する動作検出部と、
前記動作検出部により検出された前記動作に基づく前記印刷装置の軌跡にしたがって、前記入力部に入力された印刷データに応じた画像のレイアウト情報を取得する取得部と、
前記取得部で取得された前記レイアウト情報に基づき被記録媒体に印刷する印刷部と、
を備えることを特徴とする印刷装置。
【請求項１１】
前記動作検出部が、前記印刷装置の第１の動作を検出すると、前記取得部は、前記第１の動作に基づく前記印刷装置の軌跡に従って、前記入力部に入力された前記印刷データのサイズを前記印刷データの始端から前記印刷データの終端に向けて変化させる請求項１０に記載の印刷装置。
【請求項１２】
前記動作検出部により所定の動作が検出されたときに、開始動作又は終了動作が検出されたものと判別する判別部を更に備え、
前記判別部により前記開始動作が検出された後から、前記判別部により前記終了動作が検出される前までの間に、前記取得部による前記レイアウト情報の取得が行われることを特徴とする請求項１０に記載の印刷装置。
【請求項１３】
印刷装置が実行する印刷方法であって、
三次元空間において前記印刷装置が移動する少なくとも１つの動作を検出する動作検出ステップと、
前記動作検出ステップにより検出可能な複数の動作と、複数の制御コマンドと、を対応付けて記憶する記憶部から、前記動作検出ステップにより検出された前記複数の動作のうちの少なくとも１つの動作に基づいて、少なくとも１つの前記制御コマンドを取得する取得ステップと、
前記取得ステップにより取得された少なくとも１つの前記制御コマンドに基づき被記録媒体に印刷する印刷ステップと、
を含むことを特徴とする印刷方法。
【請求項１４】
印刷装置が実行する印刷方法であって、
三次元空間において前記印刷装置が移動する複数の動作を検出する動作検出ステップと、
前記動作検出ステップにより検出可能な前記複数の動作のうちの複数の動作の組合せと、複数の文字種と、をそれぞれ対応付けて記憶している記憶部から、前記動作検出ステップにより検出された前記動作の組合せに対応付けられた文字種を入力データとして取得する取得ステップと、
前記取得ステップにより取得された前記入力データに基づき被記録媒体に印刷する印刷ステップと、
を含むことを特徴とする印刷方法。
【請求項１５】
印刷装置が実行する印刷方法であって、
印刷データの入力を受け付ける入力ステップと、
三次元空間において前記印刷装置が移動する複数の動作を検出する動作検出ステップと、
前記動作検出ステップにより検出された前記動作に基づく前記印刷装置の軌跡にしたがって、前記入力ステップにより入力された印刷データに応じた画像のレイアウト情報を取得する取得ステップと、
前記取得ステップで取得された前記レイアウト情報に基づき被記録媒体に印刷する印刷ステップと、
を含むことを特徴とする印刷方法。
【請求項１６】
印刷装置が備えるコンピュータを、
三次元空間において前記印刷装置が移動する少なくとも１つの動作を検出する動作検出手段、
前記動作検出手段により検出可能な複数の動作と、複数の制御コマンドと、を対応付けて記憶する記憶部から、前記動作検出手段により検出された前記複数の動作のうちの少なくとも１つの動作に基づいて、少なくとも１つの前記制御コマンドを取得する取得手段、
前記取得手段により取得された少なくとも１つの前記制御コマンドに基づき被記録媒体に印刷する印刷手段、
として機能させることを特徴とするプログラム。
【請求項１７】
印刷装置が備えるコンピュータを、
三次元空間において前記印刷装置が移動する複数の動作を検出する動作検出手段、
前記動作検出手段により検出可能な前記複数の動作のうちの複数の動作の組合せと、複数の文字種と、をそれぞれ対応付けて記憶している記憶部から、前記動作検出手段により検出された前記動作の組合せに対応付けられた文字種を入力データとして取得する取得手段、
前記取得手段により取得された前記入力データに基づき被記録媒体に印刷する印刷手段、
として機能させることを特徴とするプログラム。
【請求項１８】
印刷装置が備えるコンピュータを、
印刷データの入力を受け付ける入力手段、
三次元空間において前記印刷装置が移動する複数の動作を検出する動作検出手段、
前記動作検出手段により検出された前記動作に基づく前記印刷装置の軌跡にしたがって、前記入力手段に入力された印刷データに応じた画像のレイアウト情報を取得する取得手段、
前記取得手段により取得された前記レイアウト情報に基づき被記録媒体に印刷する印刷手段、
として機能させることを特徴とするプログラム。